(57)【要約】      （修正有）【課題】ＢＤ／ＤＶＤプレーヤに相当するユーザインターフェースを既存のＤＭＰの構成を変更することなく、ＤＭＳの対応のみでコンテンツ配信を行う。【解決手段】光ディスクドライブ装置内に光ディスクが設置される場合は該光ディスク内および該光ディスク以外の記録媒体内に存在するコンテンツの一覧を生成し、前記光ディスクドライブ装置内に光ディスクが設置されない場合は光ディスク以外の記録媒体内に存在するコンテンツの一覧を生成するコンテンツリスト生成手段と、前記コンテンツ受信装置から送信されるコンテンツ配信要求に対して、該当するコンテンツを前記光ディスクドライブ装置内に設置された光ディスク内および光ディスク以外の記録媒体内から探索し、前記コンテンツ送信手段で送信するコンテンツの暗号化に必要な鍵情報を生成する鍵生成手段と、前記鍵生成手段で生成された鍵情報を用いてコンテンツを暗号化する暗号手段と、を備える。【選択図】図２
2012253639.tif 000002
【特許請求の範囲】
【請求項１】
光ディスクドライブ装置と光ディスク以外の記録媒体を搭載するコンテンツリスト及びコンテンツの配信装置であって、
ＤＬＮＡに準拠するネットワークを介して接続されるコンテンツ受信装置とデータの送受信を行う通信処理部と、
前記コンテンツ受信装置から送信されるコンテンツリスト取得要求に対して、前記光ディスクドライブ装置内に光ディスクが設置される場合は該光ディスク内および該光ディスク以外の記録媒体内に存在するコンテンツを、記録媒体ごとに一覧としてコンテンツリストを生成し、前記光ディスクドライブ装置内に光ディスクが設置されない場合は光ディスク以外の記録媒体内に存在するコンテンツの一覧をコンテンツリストとして生成するコンテンツリスト生成手段と、
前記コンテンツリスト生成手段により生成したコンテンツの一覧を送信するコンテンツリスト送信手段と、
前記コンテンツ受信装置から送信されるコンテンツ配信要求に対して、該当するコンテンツを前記光ディスクドライブ装置内に設置された光ディスク内および光ディスク以外の記録媒体内から探索し、前記コンテンツ受信装置へ送信するコンテンツ送信手段と、
前記コンテンツ受信装置との間で互いに正規に認定された機器であることを認証する認証手段と、
前記コンテンツ送信手段で送信するコンテンツの暗号化に必要な鍵情報を生成する鍵生成手段と、
前記鍵生成手段で生成された鍵情報を用いてコンテンツを暗号化する暗号手段と、
を備えることを特徴としたコンテンツリスト及びコンテンツの配信装置。
【請求項２】
請求項１に記載のコンテンツリスト及びコンテンツの配信装置であって、
前記光ディスクドライブ装置内に光ディスクが設置される場合は、該光ディスク内の複数のコンテンツから構成される本編をひとつのコンテンツとしてコンテンツの一覧に登録するコンテンツリスト生成手段と、
該光ディスク内の本編を構成する複数のコンテンツを順番に前記コンテンツ受信装置へ送信するコンテンツ送信手段と、
を備えることを特徴としたコンテンツリスト及びコンテンツの配信装置。
【請求項３】
請求項１に記載のコンテンツリスト及びコンテンツの配信装置であって、
前記光ディスクドライブ装置内に初期再生時に決まった動画を再生する第１のコンテンツを含む光ディスクが設置される場合は、該光ディスクの初期再生時は該光ディスク内の前記第１のコンテンツ以外のコンテンツをコンテンツの一覧に登録せず、該光ディスクの初期再生時以外は該光ディスク内の前記第１のコンテンツ以外のコンテンツをコンテンツの一覧に登録するコンテンツリスト生成手段と、
該光ディスクが前記光ディスクドライブ装置に設置されてから再生した回数を管理する再生回数管理手段と、
を備えることを特徴としたコンテンツリスト及びコンテンツの配信装置。
【請求項４】
光ディスクドライブ装置と光ディスク以外の記録媒体を搭載するコンテンツリスト及びコンテンツの配信装置がＤＬＮＡに準拠するネットワークを介して接続されるコンテンツ受信装置へコンテンツリスト及びコンテンツを送信する方法であって、
前記コンテンツ受信装置から送信されるコンテンツリスト取得要求に対して、前記光ディスクドライブ装置内に光ディスクが設置される場合は該光ディスク内および該光ディスク以外の記録媒体内に存在するコンテンツを、記録媒体ごとに一覧としてコンテンツリストを生成し、前記光ディスクドライブ装置内に光ディスクが設置されない場合は光ディスク以外の記録媒体内に存在するコンテンツの一覧をコンテンツリストとして生成するコンテンツリスト生成ステップと、前記コンテンツリスト生成手段により生成したコンテンツの一覧を送信するコンテンツリスト送信ステップと、前記コンテンツ受信装置から送信されるコンテンツ配信要求に対して、該当するコンテンツを前記光ディスクドライブ装置内に設置された光ディスク内および光ディスク以外の記録媒体内から探索し、前記コンテンツ受信装置へ送信するコンテンツ送信ステップと、前記コンテンツ受信装置との間で互いに正規に認定された機器であることを認証する認証ステップと、前記コンテンツ送信ステップで送信するコンテンツの暗号化に必要な鍵情報を生成する鍵生成ステップと、前記鍵生成ステップで生成された鍵情報を用いてコンテンツを暗号化する暗号ステップと、を備えることを特徴としたコンテンツリスト及びコンテンツの送信方法。
【請求項５】
請求項４に記載のコンテンツリスト及びコンテンツの送信方法であって、前記光ディスクドライブ装置内に光ディスクが設置される場合は、該光ディスク内の複数のコンテンツから成る本編をひとつのコンテンツとしてコンテンツの一覧に登録するコンテンツリスト生成ステップと、該光ディスク内の本編を構成する複数のコンテンツを順番に前記コンテンツ受信装置へ送信するコンテンツ送信ステップと、を備えることを特徴としたコンテンツリスト及びコンテンツの送信方法。
【請求項６】
請求項４に記載のコンテンツリスト及びコンテンツの送信方法であって、前記光ディスクドライブ装置内に初期再生時に決まった動画を再生する第１のコンテンツを含む光ディスクが設置される場合は、該光ディスクの初期再生時は該光ディスク内の前記第１のコンテンツ以外のコンテンツをコンテンツの一覧に登録せず、該光ディスクの初期再生時以外は該光ディスク内の前記第１のコンテンツ以外のコンテンツをコンテンツの一覧に登録するコンテンツリスト生成ステップと、該光ディスクが前記光ディスクドライブ装置に設置されてから再生した回数を管理する再生回数管理ステップと、を備えることを特徴としたコンテンツリスト及びコンテンツの送信方法。
【発明の詳細な説明】
【技術分野】
【０００１】
本発明は、コンテンツリスト及びコンテンツの配信装置及び送信方法に関する。
【背景技術】
【０００２】
デジタル映像信号処理技術の発展に伴い、デジタル放送を受信するデジタルチューナ、該デジタルチューナ内蔵テレビ（以下、ＤＴＶ）や、デジタル放送番組を録画・再生するデジタル記録装置（例えば、ＨＤＤレコーダやＤＶＤ（ＤｉｇｉｔａｌＶｅｒｓａｔｉｌｅＤｉｓｃ）レコーダ、ＢＤ(Ｂｌｕ-ｒａｙＤｉｓｃ)レコーダ、ＮＡＳ（ＮｅｔｗｏｒｋＡｔｔａｃｈｅｄＳｔｏｒａｇｅ）等）のデジタルＡＶ装置が次々と製品化されている。
【０００３】
また、ブロードバンド／インターネットの普及により、これらのＰＣやデジタルＡＶ装置に有線／無線ＬＡＮ（ＬｏｃａｌＡｒｅａＮｅｔｗｏｒｋ）、ＩＥＥＥ１３９４、ＵＳＢ（ＵｎｉｖｅｒｓａｌＳｅｒｉａｌＢｕｓ）、ＨＤＭＩ（ＨｉｇｈＤｅｆｉｎｉｔｉｏｎＭｕｌｔｉｍｅｄｉａＩｎｔｅｒｆａｃｅ）などのデジタルインタフェースを搭載し、ネットワークを介して宅内／宅外でデジタルコンテンツを伝送することが可能になってきた。特に宅内に構築されたネットワークを利用してデジタルコンテンツの共有を行うためのガイドラインとしてＤＬＮＡ（ＤｉｇｉｔａｌＬｉｖｉｎｇＮｅｔｗｏｒｋＡｌｌｉａｎｃｅ）が広く普及している。現在、市場にはＰＣを含めた多くのＡＶ装置がＤＬＮＡに対応した製品を発売している。
【０００４】
デジタルＡＶ装置の間でデジタルコンテンツを送信する際には、コンテンツ送信装置側において暗号化を行い、コンテンツ受信装置側との間で復号化のための情報の共有化を行うことによって、送信先であるコンテンツ受信装置以外の機器によってコンテンツが正しく受信されて復号されない様にして、無制限なコピーの作成を防ぐコピープロテクトが実施されている。
【０００５】
このようなコピープロテクトの方法の一例としてデジタルＡＶ機器に取り入れられているものには、例えば特許文献１に記載の方式がある。特許文献１に記載の方式ではコンテンツを「Ｃｏｐｙｆｒｅｅ（制限なくコピー可）」「ＣｏｐｙｆｒｅｅｗｉｔｈＥＰＮａｓｓｅｒｔｅｄ（出力保護付きで制限なくコピー可）」「Ｃｏｐｙｏｎｅｇｅｎｅｒａｔｉｏｎ（１世代コピー可）」「Ｎｏｍｏｒｅｃｏｐｉｅｓ（再コピー禁止）」「Ｃｏｐｙｎｅｖｅｒ（コピー禁止）」に分類して管理し、録画装置では「Ｃｏｐｙｆｒｅｅ」「ＣｏｐｙｆｒｅｅｗｉｔｈＥＰＮａｓｓｅｒｔｅｄ」「Ｃｏｐｙｏｎｅｇｅｎｅｒａｔｉｏｎ」のコンテンツだけを記録し、「Ｃｏｐｙｏｎｅｇｅｎｅｒａｔｉｏｎ」のコンテンツは一度記録した後は「Ｎｏｍｏｒｅｃｏｐｉｅｓ」として取り扱い、ネットワーク／バス上では「Ｃｏｐｙｆｒｅｅ」のコンテンツを除いて送信側で暗号化処理を施して伝送を行うことによって、無制限なコンテンツのコピーが行えないようにしている。
【０００６】
特許文献２においては、機器間でのコンテンツ伝送の際に、コンテンツの著作権保護を高める技術が開示されている。一方、映画や音楽などの映像・音声コンテンツはＢＤ、ＤＶＤ、ＣＤ（ＣｏｍｐａｃｔＤｉｓｃ）などの光ディスクへ記録され広く流通している。光ディスクに著作権保護すべきコンテンツが記録される場合には、コピープロテクト技術として、ＡＡＣＳ（ＡｄｖａｎｃｅｄＡｃｃｅｓｓＣｏｎｔｅｎｔＳｙｓｔｅｍ）、ＣＳＳ（ＣｏｎｔｅｎｔＳｃｒａｍｂｌｅＳｙｓｔｅｍ）、ＣＰＲＭ（ＣｏｎｔｅｎｔＰｒｏｔｅｃｔｉｏｎＲｅｃｏｒｄａｂｌｅＭｅｄｉａ）などＤＲＭ（ＤｉｇｉｔａｌＲｉｇｈｔｓＭａｎａｇｅｍｅｎｔ）技術が使用されている。
【０００７】
特許文献３においては、ネットワーク内のリモート視聴において、該ネットワーク外で記録されたリムーバブルメディアのプレイリスト再生ができる技術が開示されている。情報処理装置にＤＶＤが装着されたとき、ＤＶＤに蓄積された実体コンテンツをＰＧＣ（Ｐｒｏｇｒａｍ Ｃｈａｉｎ）に従い先頭から最後まで再生するコンテンツアイテムをコンテンツディレクトリに登録する。
【０００８】
さらに、装着されたＤＶＤにプレイリストが記録されている場合には、そのプレイリストで指定した再生手順で実体コンテンツを再生する仮想コンテンツに対応するコンテンツアイテムをコンテンツディレクトリに登録する。
【先行技術文献】
【特許文献】
【０００９】
【特許文献１】特開２００５−２６９２８８
【特許文献２】特開２０１０−１１９１３７
【特許文献３】特開２００８−４１１２０
【発明の概要】
【発明が解決しようとする課題】
【００１０】
ＢＤ，ＤＶＤ等の記録媒体を扱う光ディスクドライブ、あるいはその他のリムーバブルメディアを内蔵あるいは外付けで利用可能な搭載したコンテンツ配信装置とＴＶやＰＣなどコンテンツを再生する再生装置がネットワーク接続された環境下で、コンテンツ配信装置がネットワークなどの通信路を介して光ディスクなどの記録媒体内のコンテンツを一つ以上の再生装置へ送信し、再生装置で該コンテンツを視聴する場合を想定する。
【００１１】
例えば、ＤＬＮＡでは、コンテンツの再生はファイル単位となるため、ＢＤやＤＶＤのコンテンツをＤＬＮＡを利用して再生する場合、一般のＢＤ／ＤＶＤプレーヤなどの再生装置で提供されるユーザインターフェースを提供することができない。これによりコンテンツの再生ができない場合がある。また、従来のコンテンツ配信装置では、ＤＬＮＡ準拠の環境下で、その記録媒体ごとに区別してコンテンツリストを作成していないため、コンテンツによっては、ユーザが所望のコンテンツを検索できないという課題もあった。
【００１２】
ＤＬＮＡを利用してコンテンツを再生する場合、再生装置の画面に表示するユーザインターフェースを再生装置が生成するのだが、市場で普及している通常のＢＤ/ＨＤＤレコーダが内部接続されたＨＤＤやＢＤに保有するコンテンツを再生する場合は、レコーダ自身がユーザインターフェースを生成するのでＨＤＤコンテンツとＢＤコンテンツを予め分離したユーザインターフェースを生成できる。従って、レコーダの場合、前述の課題は生じ得ない。
【００１３】
そこで、ＢＤやＤＶＤをＤＬＮＡ経由でＢＤ／ＤＶＤプレーヤに相当するユーザインターフェースを既存のＤＭＰの構成を変更することなく、ＤＭＳの対応のみで実現するコンテンツ配信を行うことを目的とする。
【課題を解決するための手段】
【００１４】
本発明の目的は、例えばコンテンツの配信装置にて、ユーザの使い勝手に資するコンテンツリストを提供することで達成できる。
【発明の効果】
【００１５】
本発明によれば、コンテンツリスト及びコンテンツの配信装置の光ディスク内のコンテンツの配信において使い勝手の良いユーザインターフェースを提供することができる。
【図面の簡単な説明】
【００１６】
【図１】本発明の実施例を表す概略図
【図２】本発明の実施例を表すシステム構成図
【図３】コンテンツリスト及びコンテンツの配信装置の実施例を表すフローチャート
【図４】コンテンツリスト及びコンテンツの配信装置の実施例を表すフローチャート
【図５】コンテンツリスト及びコンテンツの配信装置の実施例を表す画面表示例
【図６】コンテンツリスト及びコンテンツの配信装置の実施例を表すフローチャート
【図７】コンテンツリスト及びコンテンツの配信装置の実施例を表す構成図
【図８】コンテンツリスト及びコンテンツの配信装置の実施例を表す構成図
【図９】再生装置の画面に表示するユーザインターフェースの例
【発明を実施するための形態】
【００１７】
以下、本発明の実施例について説明する。
【実施例１】
【００１８】
本実施例は、テレビやＰＣなどのコンテンツ受信装置がネットワークを介してコンテンツリスト及びコンテンツの配信装置から送信されるコンテンツを視聴する一例である。
【００１９】
なお、以下コンテンツ配信装置と記載する場合、特に記載がない限り、その装置が配信（送信）する対象にコンテンツリストを含む。
【００２０】
図１は、本実施例の全体像を表す。
【００２１】
コンテンツ配信装置１００には、光ディスクドライブ１０１と内蔵の記録媒体１０２を備え、ＬＡＮ（ＬｏｃａｌＡｒｅａＮｅｔｗｏｒｋ）１０４を介して、コンテンツ受信装置であるテレビ１０３と通信することができる。
【００２２】
コンテンツ配信装置１００は、光ディスクドライブ１０１内の装填されている光ディスク及び内蔵の記録媒体１０２に蓄積されているコンテンツを、ネットワークを介してコンテンツ受信装置に対してコンテンツを配信する。一方、コンテンツ受信装置１０３は再生コンテンツをコンテンツ配信装置１００に要求し、コンテンツ配信装置１００から受信したコンテンツを再生する情報機器である。
【００２３】
ＬＡＮにおいては、ネットワークプロトコルとして標準のＩＰ（ＩｎｔｅｒｎｅｔＰｒｏｔｏｃｏｌ）を使用し、上位のトランスポートプロトコルにはＴＣＰ（ＴｒａｎｓｍｉｓｓｉｏｎＣｏｎｔｒｏｌＰｒｏｔｏｃｏｌ）およびＵＤＰ（ＵｓｅｒＤａｔａｇｒａｍＰｒｏｔｏｃｏｌ）を用いる。コンテンツの伝送には更に上位のアプリケーションプロトコル、例えばＲＴＰ（Ｒｅａｌ−ｔｉｍｅＴｒａｎｓｐｏｒｔＰｒｏｔｏｃｏｌ）やＨＴＴＰ（ＨｙｐｅｒＴｅｘｔＴｒａｎｓｆｅｒＰｒｏｔｏｃｏｌ）、ＦＴＰ（ＦｉｌｅＴｒａｎｓｆｅｒＰｒｏｔｏｃｏｌ）等が使用される。
【００２４】
なお、ＩＰにはバージョンの違いとしてＩＰｖ４とＩＰｖ６が有るが、そのどちらかに限定される物ではない。また、図には示していないが、各装置は、ＬＡＮによりハブやルータを介して接続されても良い。
【００２５】
コンテンツ送信装置１００は光ディスクドライブ１０１に装鎮された光ディスク内のコンテンツを、ネットワークを介して接続されたコンテンツ受信装置１０３へ送信する。送信するコンテンツが著作権を保護するべきコンテンツである場合には、ネットワーク上での不正コピーや改竄を防止するため、ＤＴＣＰ−ＩＰ（ＤｉｇｉｔａｌＴｒａｎｓｍｉｓｓｉｏｎＣｏｎｔｅｎｔＰｒｏｔｅｃｔｉｏｎｏｖｅｒＩｎｔｅｒｎｅｔＰｒｏｔｏｃｏｌ）を使用する。
【００２６】
図２は、本発明におけるコンテンツ配信装置１００とコンテンツ受信装置１０３の全体構成を説明するブロック図である。
【００２７】
コンテンツ配信装置１００は光ディスクドライブ１０１と内蔵の記録媒体１０２を備え、ストレージ制御部２００、再生情報生成部２０１、コンテンツ送信部２０２、認証部２０３、鍵生成部２０４、暗号化部２０５、ネットワーク通信処理部２０６、トランスコード処理部２０７を備える。
【００２８】
ストレージ制御部２００は光ディスクドライブ１０１及び記録媒体１０２と接続され、光ディスクドライブ１０１に装填された光ディスク及び記録媒体１０２に記録された映像音声データと映像音声データの管理情報を読み出す。映像音声データが著作権保護すべきコンテンツであり、ＡＡＣＳ、ＣＰＲＭ、ＣＳＳ等の暗号化されたデータである場合には、ストレージ制御部２００はコンテンツを復号化しながら読み出す。
【００２９】
また、ストレージ制御部２００は読み出した管理情報を再生情報生成部２０１へ送り、コンテンツをコンテンツ送信部２０２に送る。管理情報には、映像音声データの種類を特定するための情報（例えば、ＩＦＯＦｉｌｅ）や、映像音声データのシーンやタイトルに関する情報（例えば、ＣｌｉｐＩｎｆｏｒｍａｔｉｏｎＦｉｌｅ、ＰｌａｙｌｉｓｔＦｉｌｅ）が含まれている。
【００３０】
再生情報生成部２０１はストレージ制御部２００から読出した管理情報を、ＤＬＮＡやＤＴＣＰ−ＩＰで指定されたフォーマットに変換する。例えば、後述のコンテンツ配信装置１００がコンテンツ再生装置１０３に対してコンテンツリストやその他の付加情報を送信するために、前記管理情報に含まれるコンテンツ名やフォーマット、日時などの情報をＤＬＮＡ準拠の形式に変換する。
【００３１】
なお、本配信装置における再生情報生成部２０１は、光ディスクに記録されているファイル名をそのままコンテンツリストとして送信するのではなく、例えば図９に示すようなＧＵＩ（Ｇｒａｐｈｉｃ  Ｕｓｅｒ  Ｉｎｔｅｒｆａｃｅ）として表示できる形式に変換して、コンテンツ再生装置に出力する。これによりユーザは記録媒体ごとのコンテンツリストやコンテンツを検索しやすいリスト名を認識でき、ユーザの使い勝手が向上する。
【００３２】
また各コンテンツのコピー制御情報（ＣｏｐｙｎｅｖｅｒやＣｏｐｙｏｎｅｇｅｎｅｒａｔｉｏｎ、コピー可の個数など）をＤＬＮＡやＤＴＣＰ−ＩＰ準拠の形式に変換する。ＤＴＣＰ−ＩＰを使用してコンテンツの送受信をおこなうと、不正コピーを防止しつつデータの送受信を行うことができる。これにより、光ディスクドライブ１０１に装填された光ディスクに記録されたコンテンツを不正にコピーされることなく他の端末に送信することができ、コンテンツの著作権者の権利を守ることができる。
【００３３】
コンテンツ送信部２０２は、ストレージ制御部２００から取得するコンテンツの映像音声データをＤＴＣＰ−ＩＰ規格に準拠した構成で暗号化部２０５へ送信する。必要に応じて、前記再生情報生成部２０１から送信される管理情報も暗号化部２０５へ送信しても良い。
【００３４】
認証部２０３は再生情報生成部２０１と鍵生成部２０４、ネットワーク通信処理部２０６に接続されている。認証部２０３は、ネットワークを介して著作権保護対象のコンテンツを送信するために、他のＡＶ装置（すなわち、コンテンツ受信装置１０３）との間で特定の認証プロトコル（本実施例ではＤＴＣＰ−ＩＰ規格準拠）でお互いに正規に認定された機器であるかを認証し、コンテンツの暗号／復号に使用する鍵を共有する。ここで、該認証プロトコルに必要な情報は鍵生成部２０４から取得する。
【００３５】
鍵生成部２０４は、前記認証部２０３で共有した鍵を元に、コンテンツの暗号化に必要な鍵情報を生成する。
【００３６】
暗号化部２０５はコンテンツ送信部２０２と鍵生成部２０４とネットワーク信号処理部２０６と接続されている。暗号化部２０５は鍵生成部２０４の鍵情報を用いてコンテンツの暗号化処理を行う。
【００３７】
ネットワーク通信処理部２０６はＨＴＴＰ／ＲＴＰ／ＴＣＰ／ＵＤＰ／ＩＰなどの通信プロトコルスタックが実装されており、送信データに各種プロトコルのヘッダを付与しネットワークで接続した他の機器に対して（コンテンツ受信装置１０３）コンテンツや必要に応じてその他の管理情報を送信する。また、コンテンツ受信装置１０３との認証に必要なデータも送受信する。
【００３８】
トランスコード処理部２０７はストレージ制御部２００から読み出されたコンテンツデータを復号し、デジタルビデオ信号の画素値データへ変換する。続いて画素値データを元のコンテンツとは異なる符号化方式を用いて符号化する。符号化方式にはＭＰＥＧ２（ＭｏｔｉｏｎＰｉｃｔｕｒｅＥｘｐｅｒｔｓＧｒｏｕｐ２）やＨ．２６４／ＭＰＥＧ４ＡＶＣ（ＡｄｖａｎｃｅｄＶｉｄｅｏＣｏｄｉｎｇ）などの方式が存在する。
【００３９】
コンテンツ受信装置１０３には、ネットワーク通信処理部２０９、認証部２１０、鍵生成部２１１、復号化部２１２、再生情報取得部２１３、コンテンツ受信部２１４、映像音声デコーダ２１５、デジタル入出力制御部２１６、アナログ入出力制御部２１７を備える。
【００４０】
ネットワーク通信処理部２０９は、コンテンツ配信装置１００とＬＡＮを介して接続されている。ネットワーク通信処理部２０９はＨＴＴＰ／ＲＴＰ／ＴＣＰ／ＵＤＰ／ＩＰなどの通信プロトコルスタックが実装されており、コンテンツ配信装置１００からの受信データに付与されている各種プロトコルのヘッダを除去し復号化部２１２へコンテンツ及びその他の管理情報を送る。また、コンテンツ配信装置１００との認証に必要なデータも送受信する。
【００４１】
認証部２１０はネットワーク通信処理部２０９および鍵生成部２１１と接続されている。認証部２１０は、ネットワーク接続された他のＡＶ装置（コンテンツ配信装置１００）との間で特定の認証プロトコル（本実施例ではＤＴＣＰ−ＩＰ規格準拠）でお互いに正規に認定された機器であるかを認証し、コンテンツの暗号／復号に使用する鍵を共有する。ここで、認証の際に必要な情報は鍵生成部２１１から取得する。
【００４２】
鍵生成部２１１は、前記認証部２１０で共有した鍵を元に、コンテンツの復号化に必要な鍵情報を生成する。
【００４３】
復号化部２１２は鍵生成部２１１とコンテンツ受信部２１４と接続されている。復号化部２１２は鍵生成部２１１の鍵情報を用いてコンテンツの復号化処理を行う。
【００４４】
再生情報取得部２１３は、コンテンツ送信装置１００の再生情報生成部２０１で生成された再生情報をコンテンツ受信部２１４から受信し、後述する映像音声デコーダ２１５と連携して再生情報に基づいてデータを再生制御する。
【００４５】
コンテンツ受信部２１４は、復号化部２１２から受信したコンテンツから重畳された再生情報を取り出し再生情報取得部２１３に送信する。コンテンツ自体は映像音声デコーダ２１５に送られる。
【００４６】
映像音声デコーダ２１５はＭＰＥＧ２やＨ．２６４／ＭＰＥＧ４ＡＶＣなどの各種動画フォーマットに符号化されたコンテンツを復号し、デジタル入出力制御部２１６、またはアナログ入出力制御部２１７へ送る。
【００４７】
デジタル入出力制御部２１６は映像音声デコーダ２１５でデコードされたデジタルデータを表示装置へ出力する。表示装置との接続にはＨＤＭＩやＤＶＩ（ＤｉｇｉｔａｌＶｉｓｕａｌＩｎｔｅｒｆａｃｅ）などデジタルデータの入出力可能なケーブル・端子を用いる。
【００４８】
アナログ入出力制御部２１７は映像音声デコーダ２１５でデコードされたデジタルデータをＤ／Ａ変換することでアナログ情報に変換し、表示装置へ出力する。表示装置との接続にはＲＣＡ端子やＤ端子などアナログ情報の入出力可能なケーブル・端子を用いる。
【００４９】
光ディスクドライブ１０１に装填される光ディスクは、ＤＶＤやＢＤなどの映画や放送番組、インターネット経由で配信される番組などのコンテンツや該コンテンツに関する情報、プログラム等が記録されている事を想定している。内蔵の記録媒体１０２は、ＤＶＤやＢＤ以外のＳＤカードやＨＤＤ、半導体メモリなどさまざまな媒体があり、映像音声コンテンツや映像コンテンツ、音声コンテンツ、静止画、ＰＣで作成した文書、各種プログラムなどを記録している。
【００５０】
ここで本発明の特徴を示す一実施例を、図３〜７を用いて説明する。なお、本実施例の説明ではコンテンツ受信装置１０３を使用するが、他のＡＶ装置を使用しても同様の効果が得られる。
【００５１】
図３は、コンテンツ配信装置１００内に蓄積されたコンテンツを配信するまでのフローチャートである。
【００５２】
コンテンツ配信装置１００は、ネットワーク接続されたＡＶ装置（コンテンツ受信装置１０３）からネットワーク通信処理部２０６を介してコンテンツリスト取得要求を受信すると、ストレージ制御部２００を用いて光ディスクドライブ１０１に装填された光ディスク及び内蔵の記録媒体１０２に記録されたコンテンツに関する情報（例えば、コンテンツの名称、記録フォーマット、容量、コンテンツの取得ＵＲＬ（ＵｎｉｆｏｒｍＲｅｓｏｕｒｃｅＬｏｃａｔｏｒ）やポート番号、著作権保護対象か否かを示すフラグ、認証処理を実行するためのポート番号など）を収集し、コンテンツリストを生成する。コンテンツリストはネットワークを介して、要求元であるコンテンツ受信装置１０３へ送信する（ステップＳ３０１）。
【００５３】
続いてコンテンツ受信装置１０３からネットワークを介してコンテンツ配信要求を受信すると、コンテンツ配信装置１００は、該コンテンツ配信要求に含まれるコンテンツ情報を解析し、光ディスクドライブ１０１に装填された光ディスク及び内蔵の記録媒体１０２から要求コンテンツを探索する。続いて、要求コンテンツをストレージ制御部２００によって読み出し、コンテンツ送信部２０２によって送信し、ネットワーク通信処理部２０６を介して、要求元であるコンテンツ受信装置１０３へ送信する（ステップＳ３０２）。
【００５４】
ここで、前記要求コンテンツが著作権保護すべきコンテンツである場合は、認証部２０３を用いてコンテンツ受信装置１０３との間で所定の認証処理を実行し、該認証処理に成功した場合のみ該コンテンツ受信装置１０３との間で鍵情報を共有する。そして、鍵生成部２０４を用いて前記共有した鍵情報をベースにコンテンツを暗号化するための暗号鍵を生成し、ストレージ制御部２００で読み出されたコンテンツを暗号化部２０７を用いて該暗号鍵で暗号化し、必要に応じて所定のヘッダ（例えば、ＣｏｐｙｎｅｖｅｒやＮｏｍｏｒｅｃｏｐｉｅｓなどのコピー制御情報やデータ長、前記暗号鍵に関連した情報など）を付加して送信する。
【００５５】
上記の認証処理を実行するタイミングは、ステップＳ３０１でコンテンツ受信装置１０３が受信したコンテンツリストの中から所望のコンテンツを選択し、該コンテンツが著作権保護対象であるか否かを判定し、その結果が著作権保護対象である場合に、ステップＳ３０２でコンテンツ配信装置１００に対してコンテンツ配信要求を発行する前に、該コンテンツ配信装置１００との間で認証処理を実施しても良い。
【００５６】
図４は、図３のステップＳ３０１のコンテンツリスト生成・配信処理を詳細に説明したフローチャートである。
【００５７】
コンテンツ配信装置１００は、コンテンツ受信装置１０３からネットワークを介してコンテンツリスト取得要求を受信する（ステップＳ４０１）。
【００５８】
次に、光ディスクドライブ１０１に光ディスクが装填されているか否かを調査する（ステップＳ４０２）。
【００５９】
前記ステップＳ４０２の結果、光ディスクが光ディスクドライブ１０１内に装着されていない場合、ステップＳ４０４に遷移する。
【００６０】
前記ステップＳ４０２の結果、光ディスクドライブ１０１に光ディスクが装填されている場合は、光ディスクドライブ１０１に装着されている光ディスク内に記録されているコンテンツに関する情報を収集する（ステップＳ４０３）。コンテンツに関する情報とは、コンテンツのファイル名、コンテンツの映像フォーマット、コンテンツの再生時間など、コンテンツリスト生成に必要な情報のことである。
【００６１】
次に、内蔵の記録媒体１０２内に記録されているコンテンツに関する情報を収集する（ステップＳ４０４）。
【００６２】
そして、前記ステップＳ４０３及びステップＳ４０４で収集した情報を元にコンテンツリストを生成する（ステップＳ４０５）。
【００６３】
最後に、コンテンツ受信装置１０３に対してコンテンツリストを送信する。（ステップＳ４０６）
前記ステップＳ４０３において、光ディスク内のコンテンツ情報を取得し、光ディスク内のコンテンツの情報を含めたコンテンツリストをコンテンツ受信装置に送ることにより、ユーザはコンテンツ受信装置から光ディスク内コンテンツを要求・視聴することが可能である。
【００６４】
前記ステップＳ４０３において、前記光ディスクドライブ装置内に初期再生時に決まった動画を再生する第１のコンテンツを含む光ディスクが設置される場合、該光ディスクが初期再生時の場合は該光ディスク内の前記第１のコンテンツ以外のコンテンツをコンテンツリストに登録せず、一方、該光ディスクの初期再生時以外の場合は該光ディスク内の前記第１のコンテンツ以外のコンテンツをコンテンツリストに登録する。
【００６５】
再生情報生成部２０１は、該光ディスクが前記光ディスクドライブ装置に設置されてから再生した回数をカウントしその数を記憶する。該光ディスクが初期再生時か否かは再生情報生成部２０１が記憶する再生回数により判断できる。
【００６６】
図５は、コンテンツ受信装置１０３におけるコンテンツ選択画面の一例である。コンテンツ受信装置はコンテンツ配信装置からコンテンツリストを受信し、コンテンツ選択画面を作成してユーザへ表示する。ルートコンテナ５００の下層にはビデオ５０１、写真５０２などのコンテンツ種類に分類したコンテナがある。さらに例えばビデオ５０１の下層にはＨＤＤ５０３やＢＤ／ＤＶＤ５０５などといったコンテンツ配信装置内の記録媒体によって分類したコンテナが表示される。ＨＤＤ５０３やＢＤ／ＤＶＤ５０５の下層にはコンテンツ名やファイル名などコンテンツ自体を表す文字列が表示される。例えば、サッカー５０４やチャプタ１５０６とユーザに表示する。ユーザはコンテンツ受信装置の入力装置を用いて希望のコンテンツ（サッカー５０４またはチャプタ１５０６など）を選択することにより、コンテンツを要求・視聴することが可能である。
【００６７】
図６は、図３のステップＳ３０２のコンテンツ配信処理を詳細に説明したフローチャートである。
【００６８】
コンテンツ配信装置１００とコンテンツ受信装置１０３は、必要に応じて前記認証処理を実行し、コンテンツ暗号／復号に必要な鍵情報を共有した後、コンテンツ配信装置１００はコンテンツ受信装置１０３からネットワークを介してコンテンツ配信要求を受信する（ステップＳ６０１）。
【００６９】
コンテンツ配信装置１００は要求されたコンテンツが光ディスクドライブ１０１に装填された光ディスクに記録されたコンテンツか否かを調査する（ステップＳ６０２）。
【００７０】
前記ステップＳ６０２で確認した結果が光ディスクに記録されたコンテンツではない場合は、要求されたコンテンツが内蔵の記録媒体１０２に記録されたコンテンツか否かを調査する（ステップＳ６０３）。その結果、内蔵の記録媒体１０２に記録されたコンテンツではない場合、処理を終了する。内蔵の記録媒体１０２に記録されたコンテンツである場合は、ステップＳ６０６に遷移する。前記ステップＳ６０２で確認した結果が光ディスクに記録されたコンテンツである場合、ステップＳ６０４へ遷移する。
【００７１】
前記ステップＳ６０２で、要求されたコンテンツが光ディスクのコンテンツの場合は、該要求コンテンツをストレージ制御部２００によって読み出し、コンテンツ送信部２０２によって送信し、ネットワーク通信処理部２０６を介して、要求元であるコンテンツ受信装置１０３へ送信する（ステップＳ６０６）。ここで、コンテンツ送信部２０２は、光ディスク内の本編を構成する複数のコンテンツを順番に前記コンテンツ受信装置へ送信する。
【００７２】
前記ステップＳ６０３で、要求されたコンテンツが内蔵の記録媒体１０２内のコンテンツの場合は、該要求コンテンツをストレージ制御部２００によって読み出し、コンテンツ送信部２０２によって送信し、ネットワーク通信処理部２０６を介して、要求元であるコンテンツ受信装置１０３へ送信する（ステップＳ６０６）。
【００７３】
前記ステップＳ６０４またはステップＳ６０４において、前記読み出した要求コンテンツは、必要に応じてトランスコード処理部２０７で前記コンテンツ受信装置１０３が受信可能な形式にトランスコードした後、あるいはトランスコードしながら送信する。
【００７４】
また、要求コンテンツが著作権保護すべきコンテンツである場合は、前記読み出した要求コンテンツあるいはトランスコード後／トランスコード中の要求コンテンツを、ＤＴＣＰ−ＩＰ規格に準拠した形式で前記ステップＳ６０１の認証処理で共有した鍵情報を元に、読み出されたコンテンツを暗号化部２０７によって暗号化して送信する。
【００７５】
以上から、本実施例によると、本発明は、コンテンツ配信装置１００に光ディスクが挿入されていた場合、該光ディスクに記録されているコンテンツをコンテンツリストの中に含めてコンテンツ受信装置１０３に対して送信することができる。
【００７６】
また、これにより、コンテンツ受信装置はネットワークを介して、ＢＤやＤＶＤに格納されたコンテンツを受信することができ、よってユーザはコンテンツ配信装置から離れた場所にいてもＢＤやＤＶＤを視聴することができる。
【００７７】
また、本発明は、光ディスクに記録される複数のコンテンツから構成される本編をひとつのコンテンツとしてコンテンツの一覧に登録するコンテンツリスト生成し、該光ディスク内の本編を構成する複数のコンテンツを順番に前記コンテンツ受信装置へ送信することにより、コンテンツ受信装置１０３はひとつのコンテンツを選択しさえすれば、該光ディスクに記録されるコンテンツの本編全てを受信することができる。これにより、コンテンツ受信装置１０３を使用してコンテンツを視聴するユーザは複数のコンテンツ、例えば本編を構成する複数のチャプタをその都度選択することなく、コンテンツを視聴することができる。
【００７８】
また、光ディスクに記録されているコンテンツに、初期再生時に決まった動画を再生するコンテンツを含む場合、ＢＤとＤＶＤのコンテンツをネットワークを介して単純に送信する場合は、毎回初期再生動画をユーザは視聴せざるを得ないが、本発明は、該光ディスクが前記光ディスクドライブ装置に設置されてから再生した回数を管理することで、初期再生時以外は直ちに該光ディスク内の本編のコンテンツをユーザは視聴することができる。
【００７９】
また、該光ディスクの初期再生時は、通常のＢＤやＤＶＤプレーヤと同様に初期再生動画を配信するので、コンテンツホルダーの意図したコンテンツ再生を実施することができる。
【００８０】
ここで、本実施例では、コンテンツ受信装置１０３からコンテンツ配信装置１００に対してコンテンツリスト送信要求、あるいはコンテンツ配信要求を発行しているが、コンテンツ配信装置１００からコンテンツ受信装置１０３に対してコンテンツリスト受信要求、あるいはコンテンツ受信要求を発行しても良い。また、ネットワーク上に存在する機器の発見については、ＵＰｎＰ（ＵｎｉｖｅｒｓａｌＰｌｕｇａｎｄＰｌａｙ）などの既存の方法を使用すれば良い。
【００８１】
また、図５で示した、コンテンツ受信装置の表示例はあくまで一例であり、表示内容を限定するものではない。本発明の要旨を逸脱しなければ、構成や画面例を変更することはかまわない。
【００８２】
また、実施例１の図３、図４、図６のフローチャートはあくまで一例であり、処理内容を限定するものではない。処理の項目数の増減、処理の順番等は本発明の要旨を逸脱しなければ変更してかまわない。
【００８３】
なお、実施例１の図１〜図２で示したホームネットワーク、コンテンツ配信装置、コンテンツ受信装置の構成は、あくまで一例でありこの配置を限定するものではない。
【実施例２】
【００８４】
本実施例は、テレビやＰＣなどのコンテンツ受信装置がネットワークを介してコンテンツ配信装置から送信されるコンテンツを視聴する一例である。
【００８５】
図７は図２のコンテンツ配信装置１００を拡張し、ストレージを搭載したＴＶを想定した場合のシステム構成を示す。コンテンツ配信装置１００ｂは図２で示したコンテンツ配信装置１００の構成に加えて、チューナ１２００、映像音声デコーダ１２０１、デジタル入出力制御部１２０２、アナログ入出力制御部１２０３を備える。
【００８６】
チューナ１２００はデジタル放送波を受信し、映像音声デコーダ１２０１へ入力できるフォーマットに復号し、映像音声でコーダ１２０１へ入力する。映像音声デコーダ１２０１へ入力できるフォーマットとしては、ＭＰＥＧ２やＨ．２６４などがある。また、ストレージ制御部２００と接続されており、放送コンテンツを光ディスクドライブ１０１に装填された光ディスク或いは記録媒体１０２に記録することも可能である。
【００８７】
映像音声デコーダ１２０１では、チューナ１２００から受け取った映像音声データを復号し、デジタル入出力制御部１２０２またはアナログ入出力制御部１２０３を介して接続された表示装置に映像を再生する。デジタル入出力制御部１２０２としては、ＨＤＭＩやＤＶＩなどのケーブル・端子に対応する。また、アナログ入出力制御部としてはＲＣＡ端子やＤ端子などのケーブル・端子に対応する。
【００８８】
以上から、実施例１と同様に、本実施例によると、本発明は、コンテンツ配信装置１００に光ディスクが挿入されていた場合、該光ディスクに記録されているコンテンツをコンテンツリストの中に含めてコンテンツ受信装置１０３に対して送信することができる。
【００８９】
また、これにより、コンテンツ受信装置はネットワークを介して、ＢＤやＤＶＤに格納されたコンテンツを受信することができ、よってユーザはコンテンツ配信装置から離れた場所にいてもＢＤやＤＶＤを視聴することができる。
【００９０】
また、本発明は、光ディスクに記録される複数のコンテンツから構成される本編をひとつのコンテンツとしてコンテンツの一覧に登録するコンテンツリスト生成し、該光ディスク内の本編を構成する複数のコンテンツを順番に前記コンテンツ受信装置へ送信することにより、コンテンツ受信装置１０３はひとつのコンテンツを選択しさえすれば、該光ディスクに記録されるコンテンツの本編全てを受信することができる。これにより、コンテンツ受信装置１０３を使用してコンテンツを視聴するユーザは複数のコンテンツ、例えば本編を構成する複数のチャプタをその都度選択することなく、コンテンツを視聴することができる。
【００９１】
また、光ディスクに記録されているコンテンツに、初期再生時に決まった動画を再生するコンテンツを含む場合、ＢＤとＤＶＤのコンテンツをネットワークを介して単純に送信する場合は、毎回初期再生動画をユーザは視聴せざるを得ないが、本発明は、該光ディスクが前記光ディスクドライブ装置に設置されてから再生した回数を管理することで、初期再生時以外は直ちに該光ディスク内の本編のコンテンツをユーザは視聴することができる。
【００９２】
また、該光ディスクの初期再生時は、通常のＢＤやＤＶＤプレーヤと同様に初期再生動画を配信するので、コンテンツホルダーの意図したコンテンツ再生を実施することができる。
【００９３】
さらに、本実施例で示すように、コンテンツ配信装置とコンテンツ受信装置が一体となった形態であっても本発明は実施可能である。
【実施例３】
【００９４】
本実施例は、テレビやＰＣなどのコンテンツ受信装置がネットワークを介してコンテンツ配信装置から送信されるコンテンツを視聴する一例である。
【００９５】
図８は実施例２の図７と同様に図２で示したコンテンツ受信装置１０３を拡張し、チューナを備えるＴＶを想定した場合のシステム構成を示す。コンテンツ受信装置１０３ｃは図２で示したコンテンツ受信装置１０３の構成に加えて、チューナ１３００を備える。それぞれの構成要素の機能は図７と同様である。
【００９６】
以上から、実施例１と同様に、本実施例によると、本発明は、コンテンツ配信装置１００に光ディスクが挿入されていた場合、該光ディスクに記録されているコンテンツをコンテンツリストの中に含めてコンテンツ受信装置１０３に対して送信することができる。
【００９７】
また、これにより、コンテンツ受信装置はネットワークを介して、ＢＤやＤＶＤに格納されたコンテンツを受信することができ、よってユーザはコンテンツ配信装置から離れた場所にいてもＢＤやＤＶＤを視聴することができる。
【００９８】
また、本発明は、光ディスクに記録される複数のコンテンツから構成される本編をひとつのコンテンツとしてコンテンツの一覧に登録するコンテンツリスト生成し、該光ディスク内の本編を構成する複数のコンテンツを順番に前記コンテンツ受信装置へ送信することにより、コンテンツ受信装置１０３はひとつのコンテンツを選択しさえすれば、該光ディスクに記録されるコンテンツの本編全てを受信することができる。これにより、コンテンツ受信装置１０３を使用してコンテンツを視聴するユーザは複数のコンテンツ、例えば本編を構成する複数のチャプタをその都度選択することなく、コンテンツを視聴することができる。
【００９９】
また、光ディスクに記録されているコンテンツに、初期再生時に決まった動画を再生するコンテンツを含む場合、ＢＤとＤＶＤのコンテンツをネットワークを介して単純に送信する場合は、毎回初期再生動画をユーザは視聴せざるを得ないが、本発明は、該光ディスクが前記光ディスクドライブ装置に設置されてから再生した回数を管理することで、初期再生時以外は直ちに該光ディスク内の本編のコンテンツをユーザは視聴することができる。
【０１００】
また、該光ディスクの初期再生時は、通常のＢＤやＤＶＤプレーヤと同様に初期再生動画を配信するので、コンテンツホルダーの意図したコンテンツ再生を実施することができる。
【０１０１】
さらに、本実施例で示すように、コンテンツ受信装置がチューナを備えるＴＶである形態であっても本発明は実施可能である。
【０１０２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１０３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１０４】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１０５】
１００・・・コンテンツ配信装置、１０１・・・光ディスクドライブ、
１０２・・・内蔵記録媒体、１０３・・・コンテンツ受信装置、１０４・・・ネットワーク、
２００・・・ストレージ制御部、２０１・・・再生情報生成部、
２０２・・・コンテンツ送信部、２０３・・・認証部、２０４・・・鍵生成部、
２０５・・・暗号化部、２０６・・・ネットワーク通信処理部、
２０７・・・トランスコード処理部、２０９・・・ネットワーク通信処理部、
２１０・・・認証部、２１１・・・鍵生成部、２１２・・・復号化部、
２１３・・・再生情報取得部、２１４・・・コンテンツ受信部、２１５・・・映像音声デコーダ、
２１６・・・デジタル入出力制御部、２１７・・・アナログ入出力制御部、
５００・・・ルートコンテナ、５０１・・・ビデオコンテナ、５０２・・・写真コンテナ、５０３・・・ＨＤＤコンテナ，
５０４・・・コンテンツ名（サッカー）、５０５・・・ＢＤ／ＤＶＤコンテナ、
５０６・・・コンテンツ名（チャプタ１）、１２００・・・チューナ、１２０１・・・映像音声デコーダ、
１２０２・・・デジタル入出力制御部、１２０３・・・アナログ入出力制御部、
１３００・・・チューナ
【図１】
2012253639.tif 000003
【図２】
2012253639.tif 000004
【図３】
2012253639.tif 000005
【図４】
2012253639.tif 000006
【図５】
2012253639.tif 000007
【図６】
2012253639.tif 000008
【図７】
2012253639.tif 000009
【図８】
2012253639.tif 000010
【図９】
2012253639.tif 000011